(57)【要約】【課題】本発明は、中間階調だけではなくフルブライトとフルダーク階調をオーバードライビング駆動することができる液晶表示装置及びその駆動方法を提供する。【解決手段】本発明の液晶表示装置は、現在フレームと以前フレームのｎビットデータ信号を比較してオーバードライビングデータ信号ＯＤを出力するオーバードライビングデータ生成部４２０と、２ｎ個より多いレベル電圧を生成して、このレベル電圧のうちのオーバードライビングデータ信号ＯＤに対応する１つを出力するデータ駆動ＩＣ４３０と、レベル電圧のうち、出力された１つが印加される画素を有する液晶パネル４８０とを含むことを特徴とする。【選択図】図４
2007065670.tif 000002
【特許請求の範囲】
【請求項１】
現在フレームと以前フレームのｎビットデータ信号を比較してオーバードライビングデータ信号を出力するオーバードライビングデータ生成部と、
２ｎ個より多いレベル電圧を生成して、前記レベル電圧のうちの前記オーバードライビングデータ信号に対応する１つを出力するデータ駆動ＩＣと、
前記レベル電圧のうち、出力された１つが印加される画素を有する液晶パネルとを含む液晶表示装置。但し、ｎは自然数を表す。
【請求項２】
前記レベル電圧の数は、２ｎ+１であることを特徴とする請求項１に記載の液晶表示装置。
【請求項３】
前記レベル電圧は、レベル順に第１ないし第３レベルグループに分けられて、前記データ駆動ＩＣから出力されるレベル電圧は、前記第１グループのレベル電圧のうちの１つと、前記第３グループのレベル電圧のうちの１つと、前記第２グループのレベル電圧のうちの２ｎ個を含むことを特徴とする請求項１に記載の液晶表示装置。
【請求項４】
前記オーバードライビングデータ信号は、最大階調及び最低階調を除いた階調と、前記最大階調及び最低階調のうち、少なくとも１つに対応するレベルを有することを特徴とする請求項１に記載の液晶表示装置。
【請求項５】
前記オーバードライビングデータ生成部は、以前フレームのデータ信号を格納するフレームメモリーを含むことを特徴とする請求項１に記載の液晶表示装置。
【請求項６】
ｎより多いビットを有する拡張データ信号をディザリング処理して前記多数のデータ信号を前記オーバードライビングデータ生成部に出力するディザリング部をさらに含むことを特徴とする請求項１に記載の液晶表示装置。
【請求項７】
ソースデータ信号を信号処理して前記データ信号を出力するデータ処理部をさらに含むことを特徴とする請求項１に記載の液晶表示装置。
【請求項８】
現在フレームと以前フレームのｎビットデータ信号を比較してオーバードライビングデータ信号を出力する段階と、
２ｎ個より多いレベル電圧を生成する段階と、
前記レベル電圧のうちの前記オーバードライビングデータ信号に対応する１つを出力する段階と、
前記レベル電圧のうち、出力された１つを液晶パネルの画素に印加する段階とを含む液晶表示装置の駆動方法。但し、ｎは自然数を表す。
【請求項９】
前記レベル電圧の数は、２ｎ+１であることを特徴とする請求項８に記載の液晶表示装置の駆動方法。
【請求項１０】
前記レベル電圧は、レベル順に第１ないし第３レベルグループに分けられて、前記出力されるレベル電圧は、前記第１グループのレベル電圧のうちの１つと、前記第３グループのレベル電圧のうちの１つと、前記第２グループのレベル電圧のうちの２ｎ個を含むことを特徴とする請求項８に記載の液晶表示装置の駆動方法。
【請求項１１】
前記オーバードライビングデータ信号は、最大階調及び最低階調を除いた階調と、前記最大階調及び最低階調のうち、少なくとも１つに対応するレベルを有することを特徴とする請求項８に記載の液晶表示装置の駆動方法。
【請求項１２】
以前フレームのデータ信号を格納する段階をさらに含むことを特徴とする請求項８に記載の液晶表示装置の駆動方法。
【請求項１３】
ｎより多いビットを有する拡張データ信号をディザリング処理して前記多数のデータ信号を出力する段階をさらに含むことを特徴とする請求項８に記載の液晶表示装置の駆動方法。
【請求項１４】
ソースデータ信号を信号処理して前記データ信号を出力する段階をさらに含むことを特徴とする請求項８に記載の液晶表示装置の駆動方法。
【発明の詳細な説明】
【技術分野】
【０００１】
本発明は、液晶表示装置に係り、より詳しくは、液晶表示装置及びその駆動方法に関する。
【背景技術】
【０００２】
一般的に、液晶表示装置(LCD)は、一定間隔離隔して合着された第１基板及び第２基板間に誘電率、異方性を有する液晶を注入して液晶層が介された形態に製作される。液晶表示装置は、二つの基板の間に人為的に電界を形成して電界の強度による液晶の光透過率を調節することによって映像を表示する。
【０００３】
図１は、一般的な液晶表示装置を示した概略図である。
図１に示したように、液晶表示装置は、交差され画素Ｐを定義する多数のゲート配線ＧＬ１〜ＧＬｎ及びデータ配線ＤＬ１〜ＤＬｍと画素Ｐごとに形成された薄膜トランジスタ(TFT)Ｔと液晶キャパシターＣｌｃ及びストレージキャパシターＣｓｔを含む液晶パネル１００と、データ配線ＤＬにデータ電圧を供給するデータ駆動部１１０と、ゲート配線ＧＬにゲート電圧を供給するゲート駆動部１２０で構成される。液晶キャパシターＣｌｃは、画素電極と共通電極と両電極間に位置する液晶層で構成される。
また、液晶表示装置は、ゲート駆動部１２０及びデータ駆動部１１０に制御信号及びデータ信号を供給するタイミング制御部１３０を含む。
【０００４】
以下に、液晶表示装置の動作を簡略に説明する。
ゲート配線ＧＬにオン(oｎ)ゲート電圧が印加されると、薄膜トランジスタＴがターンオン(turn on)され、データ配線ＤＬのデータ電圧が画素に充電されて、共通電極には、共通電圧が印加される。これにより、液晶に電界を加え、液晶の光透過率を調節して画像を表示する。   
【０００５】
液晶は、固有の粘性と弾性等の特性によって応答速度が遅い短所がある。これにより、画素に充電される画素電圧が、充電時間(すなわち、フレーム時間)の間に、所望の画像を表示するための正常電圧に到達できない場合があるため、画面が曇るモーションバーリング(motion burring)のような現象が現われる。
【０００６】
このような問題を改善するために、液晶の応答速度をデータ信号の変調を通じて補償するオーバードライビング(over driving)駆動方法が提案された。オーバードライビング駆動は、以前フレームのデータ信号と現在フレームのデータ信号を比較して変化がある場合、現在フレームのデータ信号に対応するデータ電圧とは異なるオーバードライビングデータ電圧を印加する。現在フレームのデータ信号の階調が以前フレームのデータ信号の階調より高い場合、現在フレームのデータ信号に対応するデータ電圧より高い階調を有するオーバードライビングデータ電圧を印加する。また、現在フレームのデータ信号の階調が以前フレームのデータ信号の階調より低い場合、現在フレームのデータ信号に対応するデータ電圧より低い階調を有するオーバードライビングデータ電圧を印加する。
【０００７】
図２は、オーバードライビング駆動方法を説明するための駆動波形図である。
図２を参照してオーバードライビング駆動を概略的に説明する。データ信号に対応するデータ電圧２１０(すなわち、正常電圧)より高いレベルのオーバードライビングデータ電圧２２０を印加する。これによって、液晶の遅い応答速度が補償され、充電時間内に正常電圧に到達するようになる。
【０００８】
このように、オーバードライビング駆動は、本来のデータ信号に対応する階調電圧より高いかあるいは低いレベルの階調電圧を画素に印加することによって液晶の遅い応答速度を補償する。
【０００９】
液晶表示装置は、具現しようとするデータ信号の階調に対応する階調電圧を必要とする。すなわち、ｎビット(bit)のデータ信号を具現するために、２ｎ個の階調電圧を必要とする。
【００１０】
このような階調電圧を生成するために、データ駆動部は、ｎビットデータ駆動ＩＣを使用する。ｎビットデータ駆動ＩＣは、２ｎ個の階調電圧を生成する。
但し、オーバードライビングデータ電圧は、通常、データ駆動ＩＣで生成できる階調電圧のうちから選択する。
例えば、９ビットデータ信号を具現するために、９ビットデータ駆動ＩＣを使用して５１２個の階調電圧を生成する。この時、オーバードライビングデータ電圧も、このような５１２個の階調電圧のうちから選択される。
【００１１】
ｎビットデータ駆動ＩＣを使用してｎビットデータ信号をオーバードライビング駆動する場合に、中間階調に対してはオーバードライビング駆動が可能である。ところが、フルブライト(full bright)またはフルダーク(Full dark)階調に対しては、別途のオーバードライビングデータ電圧がないため、オーバードライビング駆動ができなくなる。
【００１２】
例えば、９ビットデータ信号を９ビットデータ駆動ＩＣを使用してオーバードライビング駆動する場合に、５１２番目の階調または１番目の階調は、最高階調または最低階調(フルブライトまたはフルダーク)であるが、これら階調をオーバードライビングするために必要な、さらに高いかあるいはさらに低いレベルの階調電圧がない。
従って、フルブライトまたはフルダーク階調に対してはオーバードライビング駆動が不可能であるため、液晶応答速度の改善效果を得ることができない短所がある。これにより、画質が低下される。
【発明の開示】
【発明が解決しようとする課題】
【００１３】
前述したような問題を解決するために、本発明は、中間階調だけではなくフルブライトとフルダーク階調をオーバードライビング駆動することができる液晶表示装置及びその駆動方法を提供することを目的とする。
【課題を解決するための手段】
【００１４】
前述したような目的を達成するために、本発明は、現在フレームと以前フレームのｎ-ビットデータ信号を比較してオーバードライビングデータ信号を出力するオーバードライビングデータ生成部と；２ｎ個より多いレベル電圧を生成して、前記レベル電圧のうちの前記オーバードライビングデータ信号に対応する１つを出力するデータ駆動ＩＣと；前記レベル電圧のうち、出力された１つが印加される画素を有する液晶パネルとを含む液晶表示装置を提供する。
ここで、前記レベル電圧の数は、２ｎ+１である。
【００１５】
前記レベル電圧は、レベル順に第１ないし第３レベルグループに分けられて、前記データ駆動ＩＣから出力されるレベル電圧は、前記第１グループのレベル電圧のうちの１つと、前記第３グループのレベル電圧のうちの１つと、前記第２グループのレベル電圧のうちの２ｎ個を含む。
【００１６】
前記オーバードライビングデータ信号は、最大階調と最低階調を除いた階調と、前記最大階調と最低階調のうち、少なくとも１つに対応するレベルを有する。
【００１７】
前記オーバードライビングデータ生成部は、以前フレームのデータ信号を格納するフレームメモリーを含む。
【００１８】
ｎより多いビットを有する拡張データ信号をディザリング(dithering)処理して前記多数のデータ信号を前記オーバードライビングデータ生成部に出力するディザリング部をさらに含む。
【００１９】
ソースデータ信号を信号処理して前記データ信号を出力するデータ処理部をさらに含む。
【００２０】
他の側面で、本発明は、現在フレームと以前フレームのｎ-ビットデータ信号を比較してオーバードライビングデータ信号を出力する段階と；２ｎ個より多いレベル電圧を生成する段階と；前記レベル電圧のうちの前記オーバードライビングデータ信号に対応する１つを出力する段階と；前記レベル電圧のうち、出力された１つを液晶パネルの画素に印加する段階とを含む液晶表示装置の駆動方法を提供する。
ここで、前記レベル電圧の数は、２ｎ+１である。
【００２１】
前記レベル電圧は、レベル順に第１ないし第３レベルグループに分けられて、前記出力されるレベル電圧は、前記第１グループのレベル電圧のうちの１つと、前記第３グループのレベル電圧のうちの１つと、前記第２グループのレベル電圧のうちの２ｎ個を含む。
【００２２】
前記オーバードライビングデータ信号は、最大階調と最低階調を除いた階調と、前記最大階調と最低階調のうち、少なくとも１つに対応するレベルを有する。
【００２３】
以前フレームのデータ信号を格納する段階をさらに含む。
【００２４】
ｎより多いビットを有する拡張データ信号をディザリング処理して前記多数のデータ信号を出力する段階をさらに含む。
【００２５】
ソースデータ信号を信号処理して前記データ信号を出力する段階をさらに含む。
【発明の効果】
【００２６】
本発明は、データ信号のビット数より高いビット数のデータ駆動ＩＣを使用することによって最高階調と最低階調を含む全ての階調に対するオーバードライビング駆動が行われる。これにより、動的対照比(dynamic contrast ratio)と画質が向上する。
また、ディザリング部を使用することによってデータ駆動ＩＣにより具現される階調より多い階調が表示される。これにより、製造費用が節減され、駆動效率を高める。
【実施例】
【００２７】
以下、添付された図面を参照して、本発明の実施例を詳しく説明する。
【００２８】
図３は、本発明の実施例によるデータ駆動ＩＣで生成されたレベル電圧を示したグラフである。
【００２９】
本発明の実施例では、ｎビットデータ信号をオーバードライビング駆動する際において、(ｎ+１)ビットデータ駆動ＩＣを使用する。
すなわち、ｎビットデータ信号をオーバードライビング駆動するために、(ｎ+１)ビットデータ駆動ＩＣを使用して２ｎ+１個のレベル電圧を生成する。このようなレベル電圧のうちからオーバードライビングデータ電圧を選択する。従って、全ての階調に対してオーバードライビング駆動が可能になる。
【００３０】
例えば、図３を参照すると、９ビットデータ信号を具現するために、１０ビットデータ駆動ＩＣが使用される。１０ビットデータ駆動ＩＣは、２１０(=１０２４)個のレベル電圧(０Ｇ〜１０２３Ｇ)を生成する。より詳しくは、１０ビットデータ駆動ＩＣは、共通電圧を基準に、２１０(=１０２４)個の正極性レベル電圧と負極性レベル電圧を生成する。反転駆動方法を使用する場合、画素はフレームごとに正極性と負極性を有する。このような反転駆動方法のために、データ駆動ＩＣは、相互に対称となる正極性レベル電圧と負極性レベル電圧を生成する。画素があるフレームの間、正極性の場合、正極性レベル電圧のうちの１つがオーバードライビングデータ電圧に出力される。画素がその次のフレームの間、負極性の場合、負極性レベル電圧のうちの１つがオーバードライビングデータ電圧に出力される。
【００３１】
１０２４個のレベル電圧のうちの一部が有效階調電圧として使用される。例えば、２５７番目ないし７６８番目のレベル電圧(２５６Ｇ〜７６７Ｇ)が有效階調電圧として使用できる。２５７番目ないし７６８番目のレベル電圧(２５６Ｇ〜７６７Ｇ)各々は、１番目ないし５１２番目の階調に対応する。すなわち、２５７番目ないし７６８番目のレベル電圧(２５６Ｇ〜７６７Ｇ)各々は、１番目ないし５１２番目の階調を正常に表示するための画素電圧である。また、有效階調電圧は、２番目ないし５１１番目の階調に対するオーバードライビング電圧として使用できる。
【００３２】
７６９番目ないし１０２４番目のレベル電圧(７６８Ｇ〜１０２３Ｇ)のうちの１つは、最高階調に対するオーバードライビングデータ電圧として使用できる。また、１番目ないし２５６番目のレベル電圧(０Ｇ〜２５５Ｇ)のうちの１つは、最低階調に対するオーバードライビングデータ電圧として使用できる。
【００３３】
本発明の実施例によるオーバードライビング駆動方法で、現在フレームのデータ信号が以前フレームのデータ信号に比べて高い階調を有する場合に、現在フレームの階調に対応するレベル電圧より高いレベル電圧がオーバードライビングデータ電圧に出力される。また、現在フレームのデータ信号が以前フレームのデータ信号に比べて低い階調を有する場合に、現在フレームの階調に対応するレベル電圧より低いレベル電圧がオーバードライビングデータ電圧に出力される。特に、現在フレームのデータ電圧が最高または最低階調の場合、有效階調電圧より高いレベル電圧のうちの１つまたは有效階調電圧より低いレベル電圧のうちの１つが、最高または最低階調に対するオーバードライビングデータ電圧として使用できる。従って、画素は、全ての階調を正常に表示することができる正常電圧を有する。
【００３４】
前述したように、データ信号のビット数より高いビット数のデータ駆動ＩＣを使用することによって最高階調と最低階調を含む全ての階調に対するオーバードライビング駆動データ電圧が存在する。従って、全ての階調に対してオーバードライビング駆動方法が適用されて行われる。
【００３５】
図４と図５を参照して、本発明の実施例による液晶表示装置の駆動方法を説明する。
【００３６】
図４は、本発明の実施例による液晶表示装置を概略的に示したブロック図である。
図４に示したように、本発明の実施例による液晶表示装置は、駆動回路と液晶パネル４８０を含む。
【００３７】
液晶パネル４８０は、図１の液晶パネルと類似の構造であるために、これに関する詳しい説明を省略する。
【００３８】
駆動回路では、データ処理部４１０、オーバードライビングデータ生成部４２０、データ駆動ＩＣ（D-IC）４３０を含む。データ処理部４１０とオーバードライビングデータ生成部４２０は、タイミング制御部(図１の１３０)に含まれて、データ駆動ＩＣ４３０は、データ駆動部(図１の１１０)に含まれる。
【００３９】
データ処理部４１０は、外部システムからソースデータ信号の入力を受け、これをデータ処理してフレームデータ信号ＦＤを生成する。フレームデータ信号ＦＤは、ｎビット、例えば、５１２階調が表示できる９ビット信号である。ソースデータ信号は、フレームデータ信号ＦＤより少ないビット数を有する。データ処理過程で、ソースデータ信号の情報が部分的に遺失される場合があるために、データ処理部４１０は、ソースデータ信号より多いビット数のフレームデータ信号ＦＤを生成する。
【００４０】
オーバードライビングデータ生成部４２０は、フレームメモリー４２４とルックアップテーブル４２２を有する。フレームメモリー４２４は、以前フレームのデータ信号を格納する。ルックアップテーブル４２２は、入出力テーブルに当たる。ルックアップテーブル４２２は、現在フレームのデータ信号と以前フレームのデータ信号の供給を受けてオーバードライビングデータ信号ＯＤを出力する。すなわち、ルックアップテーブル４２２は、現在フレームのデータ信号と以前フレームのデータ信号を比較して、比較結果によってオーバードライビングデータ信号ＯＤを出力する。
【００４１】
現在フレームのデータ信号の階調が以前フレームのデータ信号の階調より高い場合に、オーバードライビングデータ信号ＯＤは、現在フレームのデータ信号のレベル(すなわち、階調)より高いレベルを有する。現在フレームのデータ信号の階調が以前フレームのデータ信号の階調より低い場合に、オーバードライビングデータ信号ＯＤは、現在フレームのデータ信号のレベルより低いレベルを有する。
【００４２】
オーバードライビングデータ信号ＯＤは、９ビットデータ信号に対して、(２９+２)個のレベルを有する。オーバードライビングデータ信号ＯＤの１番目のレベルは、９ビットデータ信号の１番目のレベルのオーバードライビング駆動のためである。オーバードライビングデータ信号ＯＤの(２９+２)番目レベルは、９ビットデータ信号の２９番目のレベルのオーバードライビング駆動のためである。また、オーバードライビングデータ信号ＯＤの２番目ないし(２９+１)番目のレベルは、９ビットデータ信号の２番目ないし(２９-１)番目のレベルのオーバードライビング駆動のためである。
【００４３】
オーバードライビングデータ信号ＯＤは、データ駆動ＩＣ４３０に入力される。データ駆動ＩＣ４３０は、オーバードライビングデータ信号ＯＤに対応するレベル電圧のうちの１つを出力する。例えば、オーバードライビングデータ信号ＯＤの２番目ないし(２９+１)番目のレベル各々は、２５７番目ないし７６８番目のレベル電圧(２５６Ｇ〜７６７Ｇ)に対応する。また、オーバードライビングデータ信号ＯＤの１番目のレベルは、１番目ないし２５６番目のレベル電圧(０Ｇ〜２５５Ｇ)のうちの１つに対応する。さらに、オーバードライビングデータ信号ＯＤの(２９+２)番目のレベルは、７６９番目ないし１０２４番目のレベル電圧(７６８Ｇ〜１０２３Ｇ)のうちの１つに対応する。これにより、２５７番目ないし７６８番目のレベル電圧(２５６Ｇ〜７６７Ｇ)と、１番目ないし２５６番目のレベル電圧(０Ｇ〜２５５Ｇ)のうちの１つと、７６９番目ないし１０２４番目のレベル電圧(７６８Ｇ〜１０２３〜)のうちの１つは、全ての階調に対するオーバードライビングデータ電圧として使用される。
【００４４】
２５７番目ないし７６８番目のレベル電圧(２５６Ｇ〜７６７Ｇ)と、１番目ないし２５６番目のレベル電圧(０Ｇ〜２５５Ｇ)のうちの１つと、７６９番目ないし１０２４番目のレベル電圧(７６８Ｇ〜１０２３Ｇ)のうちの１は、オーバードライビングデータ電圧としてデータ配線に出力される。出力されたオーバードライビングデータ電圧は、液晶パネルの対応する画素に印加される。画素には、現在フレームの階調より高いかあるいは低いレベルのオーバードライビングデータ電圧が印加されるために、画素は、現在フレームの間、正常な画素電圧(すなわち、正常電圧)を有する。従って、現在フレームの階調は、正常に表示される。
【００４５】
前述したように、データ信号のビット数より高いビット数のデータ駆動ＩＣを使用することによって最高階調と最低階調を含む全ての階調に対するオーバードライビング駆動が行われる。これにより、動的対照比と画質が向上する。
【００４６】
図５は、本発明の他の実施例による液晶表示装置を概略的に示したブロック図である。図５の液晶表示装置は、ディザリング部を除いては、図４の液晶表示装置と同じ構成である。従って、図４と同じ部分に関する詳しい説明を省略する。
【００４７】
図５の液晶表示装置は、図４の液晶表示装置に比べて、ディザリング部５４０をさらに含む。ディザリング処理は、ｎビットデータ信号を具現するデータ駆動ＩＣでより多い階調を表示するために使用される。例えば、データ駆動ＩＣが２９個の階調を具現する場合に、ディザリング処理によって２(９+k)個の階調が表示される。但し、ｋは、自然数を表す。
【００４８】
ディザリング部５４０は、データ処理部５１０とオーバードライビングデータ生成部５２０との間に位置する。データ処理部５１０は、(９+ｋ)ビット拡張データ信号ＥＦＤを生成する。ディザリング部５４０は、拡張データ信号ＥＦＤのｋ個の下位ビット(LSB；low significant bit)を切断して、多数の９ビットフレームデータ信号ＦＤを生成する。多数の９ビットフレームデータ信号ＦＤは、ｋ個の下位ビットを切断することによって発生する拡張データ信号ＥＦＤの損失を空間的及び/または時間的に補償するための信号の組合せに当たる。多数の９ビットフレームデータ信号ＦＤは、少なくとも１つのフレームの間、繰り返される。これにより、多数の９ビットフレームデータ信号ＦＤによって表示される階調間の中間階調が観察者に認識される。多数の９ビットフレームデータ信号ＦＤによって表示される階調間の中間階調は、拡張データ信号ＥＦＤが表示しようとする階調である。空間的補償は、相互に異なる階調を有するフレームデータ信号ＦＤを相互に異なる画素に印加して、下位ビットの切断による損失を補償することである。また、時間的補償は、相互に異なる階調を有するフレームデータ信号ＦＤを相互に異なるフレームの間に印加して、下位ビットの切断による損失を補償することである。
【００４９】
９ビットフレームデータ信号ＦＤは、オーバードライビングデータ生成部５２０に入力される。オーバードライビングデータ生成部５２０は、図４と同様に、フレームメモリー５２４とルックアップテーブル５２２を使用して、現在フレームのデータ信号と以前フレームのデータ信号を比較して、オーバードライビングデータ信号ＯＤを生成する。
【００５０】
データ駆動ＩＣ（D-IC）５３０は、図４と同様に、オーバードライビングデータ信号ＯＤに対応するオーバードライビングデータ電圧を液晶パネル５８０に出力する。
【００５１】
前述したように、データ信号のビット数より高いビット数のデータ駆動ＩＣを使用して最高階調と最低階調を含む全ての階調に対するオーバードライビング駆動が行われる。これにより、動的対照比と画質が向上する。また、ディザリング部を使用してデータ駆動ＩＣによって具現される階調より多い階調が表示される。これにより、製造費用が節減され、駆動效率を高める。
【００５２】
本発明は、前述した実施例に限られるのではなく、本発明の趣旨に反しない限度内で、多様に変更して実施できる。
【図面の簡単な説明】
【００５３】
【図１】一般的な液晶表示装置を示した概略図である。
【図２】オーバードライビング駆動方法を説明するための駆動波形図である。
【図３】本発明の実施例によるデータ駆動ＩＣで生成されたレベル電圧を示したグラフである。
【図４】本発明の実施例による液晶表示装置を概略的に示したブロック図である。
【図５】本発明の他の実施例による液晶表示装置を概略的に示したブロック図である。
【符号の説明】
【００５４】
４１０、５１０：データ処理部
４２０、５２０：オーバードライビングデータ生成部
４３０、５３０：データ駆動ＩＣ
４２２、５２２：ルックアップテーブル
４２４、５２４：フレームメモリー
５４０：ディザリング部
ＦＤ：フレームデータ信号
ＯＤ：オーバードライビングデータ信号
【図１】
2007065670.tif 000003
【図２】
2007065670.tif 000004
【図３】
2007065670.tif 000005
【図４】
2007065670.tif 000006
【図５】
2007065670.tif 000007